(57)【要約】【課題】連写時に、被写体が所望の範囲内にある画像のみを一時記録することで、無駄な記録を避け、所望の画像のみを記録できる撮像装置を提供すること。【解決手段】被写体を連写する撮像部と、前記撮像部で連写された被写体を検出する被写体検出部と、前記被写体を検出する範囲を制御する検出範囲制御部と、被写体が上記検出範囲内で検出されたことで撮影を開始する撮影開始判断部と、前記撮影開始判断部の判断で開始された撮影の複数枚の撮像した画像を記録する記録部と、前記記憶部に記録された画像を読み出しスローモーション動画像を生成する動画像生成部と、前記動画像生成部で生成された動画像を巡回して表示する画像表示部と、前記画像表示部に表示された動画像から少なくとも１つの特定画像を選択する画像選択部と、前記画像選択部により選択された前記特定画像を前記記憶部の画像から読み出し静止画像を生成する静止画像生成部を備えることを特徴とする。【選択図】  図１
2015204578.tif 000002
【特許請求の範囲】
【請求項１】
被写体を連写する撮像部と、
前記撮像部で連写された被写体を検出する被写体検出部と、
前記被写体を検出する範囲を制御する検出範囲制御部と、
被写体が上記検出範囲内で検出されたことで撮影を開始する撮影開始判断部と、
前記撮影開始判断部の判断で開始された撮影の複数枚の撮像した画像を記録する記録部と、
前記記憶部に記録された画像を読み出しスローモーション動画像を生成する動画像生成部と、
前記動画像生成部で生成された動画像を巡回して表示する画像表示部と、
前記画像表示部に表示された動画像から少なくとも１つの特定画像を選択する画像選択部と、
前記画像選択部により選択された前記特定画像を前記記憶部の画像から読み出し静止画像を生成する静止画像生成部と、
を備えることを特徴とする撮像装置。
【請求項２】
前記撮影判断部は、被写体が上記検出範囲内で検出されなくなったことで撮影を終了する撮影終了判断部をさらに有することを特徴とする請求項１に記載の撮像装置。
【請求項３】
前記動画像生成部は、静止画を撮影された順に順次表示するためのスライドショー画像を生成することを特徴とする請求項１に記載の撮像装置。
【発明の詳細な説明】
【技術分野】
【０００１】
本発明は、撮像装置に関し、特に静止画撮影制御に関するものである。
【背景技術】
【０００２】
従来、動きの大きい被写体の静止画を撮影する際に、所望のタイミングでシャッターボタンを押すことができず、シャッターチャンスを逃すことがあった。そこで、被写体を連写した静止画を一時記録し、その静止画像を順次スロー再生し、表示を見ながら所望の画像を選択して、静止画を生成する方法がある。
【０００３】
特許文献１記載の撮像装置では、静止画撮影を行う際に、シャッターボタンを半押しすると所定枚数の連続した静止画を一時記録し、その静止画からスローモーション動画像データを生成して、繰り返し連続表示を行い、そして、所望のシーンが来たときにシャッターボタンを全押しすると、そのコマが静止画として記録される装置が提案されている。
【先行技術文献】
【特許文献】
【０００４】
【特許文献１】特開２０１３−１１０５６２号公報
【発明の概要】
【発明が解決しようとする課題】
【０００５】
しかしながら、上述の特許文献１に開示された従来技術では、一時記録する静止画が所定枚数なので、連写撮影期間内に被写体を捉えないと、所望の静止画を得ることはできない。
【０００６】
そこで、本発明の目的は、被写体が所望の範囲内にある画像のみを一時記録することで、無駄な記録を避け、所望の画像のみを記録できる撮像装置を提供することである。
【課題を解決するための手段】
【０００７】
上記目的を達成するための本発明に係る撮像装置の構成は、
被写体を連写する撮像部と、前記撮像部で連写された被写体を検出する被写体検出部と、前記被写体を検出する範囲を制御する検出範囲制御部と、被写体が上記検出範囲内で検出されたことで撮影を開始する撮影開始判断部と、
前記撮影開始判断部の判断で開始された撮影の複数枚の撮像した画像を記録する記録部と、前記記憶部に記録された画像を読み出しスローモーション動画像を生成する動画像生成部と、前記動画像生成部で生成された動画像を巡回して表示する画像表示部と、
前記画像表示部に表示された動画像から少なくとも１つの特定画像を選択する画像選択部と、前記画像選択部により選択された前記特定画像を前記記憶部の画像から読み出し静止画像を生成する静止画像生成部を備えることを特徴とする。
【発明の効果】
【０００８】
本発明によれば、被写体が所望の範囲内にある画像のみを一時記録することで、無駄な記録を避け、所望の画像のみを記録できる撮像装置を提供することができる。
【図面の簡単な説明】
【０００９】
【図１】撮像装置のブロック図である。
【図２】スローモーション動画、及び静止画像を生成する第１の実施例のフローチャートである。
【図３】スローモーション動画、及び静止画像を生成する第２の実施例のフローチャートである。
【図４】撮影画角内に設定する検出範囲である。
【図５】実施例１の一時記録からスローモーション動画を作成までの表示画像である。
【図６】実施例２の一時記録からスローモーション動画を作成までの表示画像である。
【発明を実施するための形態】
【００１０】
以下に、本発明の好ましい実施の形態を、添付の図面に基づいて詳細に説明する。
【００１１】
図１を参照して、本発明の実施形態にかかわる撮像装置のブロック図について説明する。撮像装置は、対物レンズ１０１と、撮像素子１０２と、アナログ信号処理部１０３と、画像処理部１０４と、カメラ制御部１０５と、操作部１０６と、顔検出部１０７と、メモリ１０８と、動画像生成部１０９と、静止画像生成部１１０と、表示部１１１と、バス１１２を有している。
【００１２】
ここで、画像処理部１０４、カメラ制御部１０５、顔検出部１０７、メモリ１０８、動画像生成部１０９、静止画像生成部１１０、表示部１１１は、バス１１２を介して接続されている。また、撮像素子１０２、アナログ信号処理部１０３、操作部１０６は、カメラ制御部に接続されている。
【００１３】
対物レンズ１０１は、光束を集光して被写体像を撮像素子１０２の受光面に形成する。
撮像素子１０２は、対物レンズ１０１を通過した被写体の画像光を光電変換してアナログ画像信号に変換するＣＣＤ等の撮像素子である。
【００１４】
アナログ信号処理部１０３は、カメラ制御部１０５の指示に応じて、撮像素子１０２から出力されたアナログ画像信号に対し、ＣＤＳ（相関二重サンプリング）、ゲイン調整、Ａ／Ｄ変換などの信号処理を施し、信号処理されたデジタル画像信号を画像処理部１０４へ転送する。
【００１５】
画像処理部１０４は、カメラ制御部１０５の指示に応じて、アナログ信号処理部１０３で処理されたデジタル画像信号に対して、ホワイトバランス調整、補間、輪郭強調、ガンマ補正、階調変換などの画像処理を施し、信号処理されたデジタル画像信号をメモリ１０８へ記憶させる。
【００１６】
メモリ１０８は、画像処理部１０４から出力されるデジタル画像信号、又は表示画像処理部１０７から出力されるデジタル画像信号を一時的に記憶する。また、メモリ１０８は、カメラ制御部１０５による処理の過程で作成された設定情報を一時的に記憶する。
【００１７】
操作部１０６は、シャッターボタンや焦点距離、絞り値の設定等、ユーザーがカメラを外部から操作する箇所である。
【００１８】
カメラ制御部１０５は、操作部１０６からの指示を受け、撮影を実行するために各ブロックの動作を統括制御する。
【００１９】
顔検出部１０７は、カメラ制御部１０５の指示に応じて、検出範囲が指定され、画像処理部１０４で処理されたデジタル画像の上記指定された範囲内の中から顔領域を検出する。
【００２０】
動画像生成部１０９は、カメラ制御部１０５の指示と顔検出部１０７の検出結果に応じて、画像処理部１０４で処理されたデジタル画像信号に対して、動画像用の解像度へのリサイズ処理、動画像用の画像処理、及び動画像用の圧縮処理を施すことにより生成されるスローモーション動画像データをメモリ１０８へ記憶させる。
【００２１】
静止画像生成部１１０は、カメラ制御部１０５の指示に応じて、画像処理部１０４で処理されたデジタル画像信号に対して、静止画像用の画像処理、静止画像用の圧縮処理を施すことにより生成される静止画データをメモリ１０８へ記憶させる。
【００２２】
表示部１１１は、ＬＣＤ（液晶表示装置）等で構成され、動画像生成部１０９、または静止画像生成部１１０で処理されたデジタル画像信号を受けて表示する。
【実施例１】
【００２３】
以下、図２を参照して、本発明の第１の実施例による、スローモーション動画、及び静止画像を生成する詳細のフローチャートについて説明する。
【００２４】
まず、ステップＳ２０１では、ユーザーにより操作部１０６にてシャッターボタンが半押しされたかをカメラ制御部１０５が判断する。シャッターボタンが半押しされていたらステップＳ２０２へ移行し、半押しされていなければ、スタートへ戻る。
【００２５】
次に、ステップＳ２０２では、対物レンズ１０１、撮像素子１０２、アナログ信号処理部１０３、画像処理部１０４が撮像処理を施したデジタル画像信号をメモリ１０８へ記憶する。
【００２６】
次に、ステップＳ２０３では、顔検出部１０７が、メモリ１０８に記憶されているデジタル画像信号に対して、あらかじめユーザーにより指定された検出範囲内の顔検出を行う。ここで図４を参照して、撮影画角内に設定された検出範囲４０１を示す。検出範囲４０１の枠内のみに対して顔検出が行われる。ステップＳ２０４では、顔検出部１０７にて行われた顔検出結果をカメラ制御部１０５が判断する。顔が検出されていたら、ステップＳ２０５へ移行し、顔が検出されていなければ、スタートへ戻る。
【００２７】
次に、ステップＳ２０５では、顔が検出されたデジタル画像信号をスローモーション動画作成、及び静止画像作成用の画像として、メモリ１０８にて一時記憶する。
【００２８】
次に、ステップＳ２０６では、シャッターボタンの半押しが維持されているかをカメラ制御部１０５が判断する。シャッターボタンの半押しが維持されていたら、ステップＳ２０７へ移行し、シャッターボタンの半押しが解除されていたら、メモリ１０８にて一時記憶したデジタル画像信号を破棄し、スタートへ戻る。
【００２９】
次に、ステップＳ２０７、ステップＳ２０８では、前記で説明したステップＳ２０２、ステップＳ２０３と同様の処理が行われる。
【００３０】
次に、ステップＳ２０９では、メモリ１０８に一時記憶したデジタル画像信号が所定枚数に達したかをカメラ制御部１０５が判断する。所定枚数に達していなければ、ステップＳ２０７へ移行し、所定枚数に達していたら、ステップＳ２１１へ移行する。
【００３１】
次に、ステップＳ２１１では、動画像生成部１０９が、メモリ１０８にて一時記憶したデジタル画像信号に対して、動画像用の解像度へのリサイズ処理、動画像用の画像処理、及び動画像用の圧縮処理を行い、スローモーション動画像データを生成し、メモリ１０８へ記憶する。
【００３２】
次に、ステップＳ２１２では、表示部１１１が、メモリ１０８に記憶されているスローモーション動画像をＬＣＤ等の表示装置に繰り返し表示する。本実施例では、スローモーション動画像を生成したが、メモリ１０８にて一時記憶したデジタル画像信号を撮影した時間の順序で順次表示させても良い。
【００３３】
次に、ステップＳ２１３では、シャッターボタンが全押しされたかをカメラ制御部１０５が判断する。シャッターボタンが全押しされていなければ、ステップＳ２１４へ移行し、シャッターボタンが全押しされていれば、ステップＳ２１５へ移行する。
【００３４】
次に、ステップＳ２１４では、シャッターボタンの半押しが維持されているかをカメラ制御部１０５が判断する。シャッターボタンの半押しが維持されていたら、ステップＳ２１２へ移行し、シャッターボタンの半押しが解除されていたら、メモリ１０８にて一時記憶したデジタル画像信号を破棄し、スタートへ戻る。
【００３５】
次に、ステップＳ２１５では、静止画像生成部１１０が、表示されているコマの画像に対応したメモリ１０８に一時記憶されているデジタル画像信号に対して、静止画像用の画像処理、静止画像用の圧縮処理を行い、静止画像データを生成し、メモリ１０８へ記憶する。
【００３６】
以下、図５を参照して、実施例１の一時記録からスローモーション動画を作成までの表示画像を示す。画像５０２から画像５０５は、ＬＣＤに表示されるＬｉｖｅＶｉｅｗ画像である。
【００３７】
画像５０２において、被写体は、検出範囲５０１の外にいる。この時、ユーザーは、シャッターボタンを半押ししているが、検出範囲５０１に顔が検出されていないので、一時記録はされない。画像５０３において、被写体は、検出範囲５０１の中に入り、画像５０３は一時記録される。画像５０４においても、被写体は、検出範囲５０１の中にあり、画像５０４は一時記録される。
【００３８】
画像５０５において、被写体は、検出範囲５０１の外にいるが、所定枚数内なので、画像５０５は一時記録される。ここで、所定枚数を３枚とすると、画像５０３から画像５０５の画像３枚で、スローモーション動画が生成される。スローモーション動画は、画像５１３から画像５１５を順次繰り返し表示される。スローモーション動画再生中に、ユーザーがシャッターボタンを全押しした時の画像を静止画像データとして記録する。
【００３９】
この実施形態によれば、被写体が所望の範囲内に入ってから一時記録を開始し、所定枚数まで一時記録し続け、スローモーション動画を作成することで、シャッターチャンスを失うことなく、ユーザーが所望の画像を選択することができる。
【実施例２】
【００４０】
以下、図３を参照して、本発明の第２の実施例による、スローモーション動画、及び静止画像を生成する詳細のフローチャートについて説明する。図３のステップＳ３０１からＳ３０６の処理は、第１の実施例の図２のステップＳ２０１からＳ２０６と同じである。
【００４１】
次に、ステップＳ３０７では、メモリ１０８に一時記憶したデジタル画像信号が所定枚数に達したかをカメラ制御部１０５が判断する。所定枚数に達していなければ、ステップＳ３０８へ移行し、所定枚数に達していたら、ステップＳ３１１へ移行する。
【００４２】
次に、ステップＳ３０８、ステップＳ３０９では、前記で説明したステップＳ２０２、ステップＳ２０３と同様の処理が行われる。
【００４３】
次に、ステップＳ３１０では、ステップＳ２０４と同様の処理が行われ、顔が検出されていたら、ステップＳ３０５へ移行し、顔が検出されていなければ、ステップＳ３１１へ移行する。ステップＳ３１１からＳ３１５の処理は、第１の実施例の図２のステップＳ２１１からＳ２１５と同じである。
【００４４】
以下、図６を参照して、実施例２の一時記録からスローモーション動画を作成までの表示画像を示す。画像６０２から画像６０５は、ＬＣＤに表示されるＬｉｖｅＶｉｅｗ画像である。
【００４５】
画像６０２において、被写体は、検出範囲６０１の外にいる。この時、ユーザーは、シャッターボタンを半押ししているが、検出範囲６０１に顔が検出されていないので、一時記録はされない。画像６０３において、被写体は、検出範囲６０１の中に入り、画像５０３は一時記録される。画像６０４においても、被写体は、検出範囲６０１の中にあり、画像６０４は一時記録される。
【００４６】
画像６０５において、被写体は、検出範囲５０１の外にいるので、画像６０５は一時記録されない。ここで、画像６０３から画像６０４の画像２枚で、スローモーション動画が生成される。スローモーション動画は、画像６１３から画像６１４を順次繰り返し表示される。スローモーション動画再生中に、ユーザーがシャッターボタンを全押しした時の画像を静止画像データとして記録する。
【００４７】
この実施形態によれば、被写体が所望の範囲内にある画像のみを一時記録し、スローモーション動画を作成することで、無駄な記録を避け、効率的に、ユーザーが所望の画像を選択することができる。
【符号の説明】
【００４８】
１０１  対物レンズ、１０２  撮像素子、１０３  アナログ信号処理部、
１０４  画像処理部、１０５  カメラ制御部、１０６  操作部、１０７  顔検出部、
１０８  メモリ、１０９  動画像生成部、１１０  静止画像生成部、１１１  表示部、
１１２  バス
【図５】
2015204578.tif 000003
【図６】
2015204578.tif 000004
【図１】
2015204578.tif 000005
【図２】
2015204578.tif 000006
【図３】
2015204578.tif 000007
【図４】
2015204578.tif 000008